(57)【要約】【課題】電気的な接続時の長さを調整可能であって、コネクターなどに対して適正な位置に位置決め可能なフレキシブル配線基板、電気光学装置の駆動構造体を提供すること。【解決手段】フレキシブル配線基板５０は、可撓性を有すると絶縁性の基材１と、基材１の長手方向に延在する複数の配線１０と、複数の配線１０の両端側にそれぞれ設けられた接続用ランドからなる第１接続用ランド群ＴＧ１および第２接続用ランド群ＴＧ２と、複数の配線１０の長手方向において第１接続用ランド群ＴＧ１と第２接続用ランド群ＴＧ２との間に設けられた第３接続用ランド群ＴＧ３と、基材１の短手方向の両端側に第１から第３接続用ランド群ＴＧ１，ＴＧ２，ＴＧ３に対応して、それぞれ設けられた一対の外形基準としての切り欠き部Ｃ１，Ｃ２，Ｃ３，Ｃ４と、を有する。【選択図】図１
2012182409.tif 000002
【特許請求の範囲】
【請求項１】
可撓性を有する絶縁性の基材と、
前記基材の長手方向に延在する複数の配線と、
前記複数の配線の前記長手方向の両端側にそれぞれ設けられた接続用ランドからなる第１接続用ランド群および第２接続用ランド群と、
前記複数の配線の前記長手方向において前記第１接続用ランド群と前記第２接続用ランド群との間に設けられた第３接続用ランド群と、
前記基材の短手方向の両端側に少なくとも前記第３接続用ランド群に対応して設けられた一対の外形基準と、を有することを特徴とするフレキシブル配線基板。
【請求項２】
前記一対の外形基準が前記基材を切り欠いた切り欠き部であることを特徴とする請求項１に記載のフレキシブル配線基板。
【請求項３】
前記一対の外形基準が前記第１接続用ランド群、前記第２接続用ランド群、前記第３接続用ランド群のそれぞれに対して設けられていることを特徴とする請求項１または２に記載のフレキシブル配線基板。
【請求項４】
請求項１乃至３のいずれか一項に記載のフレキシブル配線基板と、
電気光学装置の駆動回路が搭載され、前記駆動回路と前記フレキシブル配線基板とを電気的に接続させる第１コネクターを有する第１基板と、
前記電気光学装置と前記フレキシブル配線基板とを電気的に接続させる第２コネクターと、を備えたことを特徴とする電気光学装置の駆動回路構造体。
【請求項５】
請求項３に記載のフレキシブル配線基板と、
電気光学装置の駆動回路が搭載され、前記駆動回路と前記フレキシブル配線基板とを電気的に接続させる第１コネクターを有する第１基板と、
前記電気光学装置と前記フレキシブル配線基板とを電気的に接続させる第２コネクターと、を備え、
前記第１コネクターおよび前記第２コネクターは、それぞれ前記フレキシブル配線基板の前記一対の外形基準に対する位置決め基準を有することを特徴とする電気光学装置の駆動回路構造体。
【請求項６】
前記フレキシブル配線基板の前記一対の外形基準が前記基材を切り欠いた切り欠き部であって、前記第１および第２コネクターの前記位置決め基準が前記切り欠き部に嵌合する突起部であることを特徴とする請求項３に記載の電気光学装置の駆動回路構造体。
【請求項７】
前記第２コネクターが搭載された第２基板を有し、
前記第２基板は、前記第２コネクターに配線を介して接続され、前記電気光学装置が電気的に接続される第３コネクターを有することを特徴とする請求項４乃至６のいずれか一項に記載の電気光学装置の駆動回路構造体。
【発明の詳細な説明】
【技術分野】
【０００１】
本発明は、フレキシブル配線基板、これを備えた電気光学装置の駆動回路構造体に関する。
【背景技術】
【０００２】
フレキシブル配線基板（ＦＰＣ；Flexible  Printed  Circuits）は、可撓性と絶縁性とを兼ね備えた例えばポリイミド樹脂などからなる基材と、当該基材上に貼り合わされた銅箔をパターニングして得られた複数本の配線とを有しており、液晶装置や有機ＥＬ装置などの電気光学装置と外部駆動回路とを電気的に接続するためによく用いられている。
【０００３】
一方で外部駆動回路と電気光学装置とを電気的に接続するには、電気光学装置の仕様に合致したＦＰＣが必要であったので、電気光学装置の種類が増えるとＦＰＣの種類も増えてしまうといった課題があった。
上記課題に対して、例えば特許文献１には、ＦＰＣと電線とを接続可能な接続用コネクターが開示されている。
上記接続用コネクターは、電線が基端部に接続され、先端側に爪部を有する複数本のブスバーを有し、当該複数本のブスバーの爪部がＦＰＣの導体部の間隔と同じ寸法で前後にずらされた状態で本体部に設けられている。各導体部に各爪部を突き刺した状態で本体部とカバー部とでＦＰＣを挟持固定する構成となっている。
つまり、ＦＰＣの任意の位置で接続用コネクターを介して電線と電気的に接続が可能となり、ＦＰＣの長さ方向における自由度が向上して、例えば電気光学装置の仕様によってＦＰＣの長さを変える必要性が回避されている。
【先行技術文献】
【特許文献】
【０００４】
【特許文献１】特開２００１−１１８６２１号公報
【発明の概要】
【発明が解決しようとする課題】
【０００５】
しかしながら、上記特許文献１の接続用コネクターを用いればＦＰＣの長さを任意に調整可能であるが、爪部によってＦＰＣの導体部に傷が付き、例えば脱着を繰り返すとＦＰＣに応力が加わって傷口からＦＰＣが裂けてしまうなどの不具合が生ずるおそれがある。
また、ＦＰＣの導体部の間隔（ピッチ）が狭くなるとブスバーの爪部に対して精度よく位置決めすることが難しいという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例のフレキシブル配線基板は、可撓性を有する絶縁性の基材と、前記基材の長手方向に延在する複数の配線と、前記複数の配線の前記長手方向の両端側にそれぞれ設けられた接続用ランドからなる第１接続用ランド群および第２接続用ランド群と、前記複数の配線の前記長手方向において前記第１接続用ランド群と前記第２接続用ランド群との間に設けられた第３接続用ランド群と、前記基材の短手方向の両端側に少なくとも前記第３接続用ランド群に対応して設けられた一対の外形基準と、を有することを特徴とする。
【０００８】
この構成によれば、例えば回路基板にフレキシブル配線基板を電気的に接続させるときに、第１接続用ランド群を基準として、長手方向の端部に設けられた第２接続用ランド群と、第２接続用ランド群との間に設けられた第３接続用ランド群とのうちいずれかを選択して接続が可能となる。それゆえに、所望の長さに対応してフレキシブル配線基板を用意する場合に比べて、１つのフレキシブル配線基板を共有することができ、在庫管理などが簡略化され、かかるコストを削減できる。
また、少なくとも第３接続用ランド群に対応して一対の外形基準が設けられているので、第３接続用ランド群を用いるときには、一対の外形基準を利用して、例えば不要な接続用ランド群を切断して削除し、確実な接続を図ることができる。
【０００９】
［適用例２］上記適用例のフレキシブル配線基板において、前記一対の外形基準が前記基材を切り欠いた切り欠き部であることを特徴とする。
これによれば、例えば、切り欠き部を利用してコネクターなどの接続部材に位置決めしたり、また、一対の切り欠き部に跨って切断して不要な接続用ランド群を削除し、所望の接続用ランド群だけを残すことができる。
【００１０】
［適用例３］上記適用例のフレキシブル配線基板において、前記一対の外形基準が前記第１接続用ランド群、前記第２接続用ランド群、前記第３接続用ランド群のそれぞれに対して設けられていることが好ましい。
これによれば、第１〜第３接続用ランド群うちの２つを選択して、長手方向の長さを調整しつつコネクターなどの接続部材に位置決めして、電気的な接続を図ることができる。
【００１１】
［適用例４］本適用例の電気光学装置の駆動回路構造体は、上記適用例のフレキシブル配線基板と、電気光学装置の駆動回路が搭載され、前記駆動回路と前記フレキシブル配線基板とを電気的に接続させる第１コネクターを有する第１基板と、前記電気光学装置と前記フレキシブル配線基板とを電気的に接続させる第２コネクターと、を備えたことを特徴とする。
【００１２】
この構成によれば、例えば、第１コネクターと第２コネクターとにフレキシブル配線基板を接続させて電気光学装置を駆動させる場合、動作環境状態に応じて、フレキシブル配線基板の長さを調整可能な電気光学装置の駆動回路構造体を提供できる。
言い換えれば、電気光学装置と駆動回路との接続を図るフレキシブル配線基板の長さを動作環境に応じて変えたい場合にも、１つのフレキシブル配線基板で対応が可能となり、異なる機種の電気光学装置間で駆動回路構造体を共有化できる。
【００１３】
［適用例５］本適用例の他の電気光学装置の駆動回路構造体は、上記適用例のフレキシブル配線基板と、電気光学装置の駆動回路が搭載され、前記駆動回路と前記フレキシブル配線基板とを電気的に接続させる第１コネクターを有する第１基板と、前記電気光学装置と前記フレキシブル配線基板とを電気的に接続させる第２コネクターと、を備え、前記第１コネクターおよび前記第２コネクターは、それぞれ前記フレキシブル配線基板の前記一対の外形基準に対する位置決め基準を有することを特徴とする。
この構成によれば、動作環境状態に応じて、フレキシブル配線基板の長さを調整可能であると共に、フレキシブル配線基板の一対の外形基準を利用して第１コネクターおよび第２コネクターに確実に接続可能な電気光学装置の駆動回路構造体を提供できる。
【００１４】
［適用例６］上記適用例の電気光学装置の駆動回路構造体において、前記フレキシブル配線基板の前記一対の外形基準が前記基材を切り欠いた切り欠き部であって、前記第１および第２コネクターの前記位置決め基準が前記切り欠き部に嵌合する突起部であることを特徴とする。
これによれば、接続用ランドの配置ピッチが精細になっても、第１および第２コネクターの突起部を所望の長さのフレキシブル配線基板の切り欠き部に嵌合させて位置決めし、フレキシブル配線基板と第１および第２コネクターとを確実に接続することができる。
【００１５】
［適用例７］上記適用例の電気光学装置の駆動回路構造体において、前記第２コネクターが搭載された第２基板を有し、前記第２基板は、前記第２コネクターに配線を介して接続され、前記電気光学装置が電気的に接続される第３コネクターを有するとしてもよい。
これによれば、電気光学装置側に接続された中継基板の端子数や端子配列に応じた第３コネクターを第２基板に設け、電気光学装置を第３コネクターおよび第２コネクターを介してフレキシブル配線基板と接続させることができる。つまり、第２コネクターにより電気光学装置の中継基板とフレキシブル配線基板とを直接に接続させる必要がないので、第２コネクターの構造を簡略化できる。また、異なる端子仕様を有するより多くの電気光学装置に対して駆動回路構造体を共有化できる。
【図面の簡単な説明】
【００１６】
【図１】（ａ）はフレキシブル配線基板の構成を示す概略平面図、（ｂ）は概略断面図。
【図２】電気光学装置の駆動構造体の構成を示す概略斜視図。
【図３】（ａ）はコネクターにフレキシブル配線基板が接続された状態を示す概略平面図、（ｂ）は概略断面図。
【図４】（ａ）は電気光学装置の一例としての液晶ライトバルブの構成を示す概略平面図、（ｂ）は電気光学装置の他の一例としてのエレクトロビューファインダーの構成を示す概略平面図。
【図５】液晶ライトバルブを用いた投射型表示装置の動作環境を示す概略図。
【図６】エレクトロビューファインダーの動作環境を示す概略図。
【図７】変形例１のＦＰＣの構成を示す概略平面図。
【図８】変形例２のＦＰＣの構成を示す概略平面図。
【発明を実施するための形態】
【００１７】
以下、本発明を具体化した実施形態について図面に従って説明する。なお、使用する図面は、説明する部分が認識可能な状態となるように、適宜拡大または縮小して表示している。
【００１８】
なお、以下の形態において、例えば「基材上に」と記載された場合、基材の上に接するように配置される場合、または基材の上に他の構成物を介して配置される場合、または基材の上に一部が接するように配置され、一部が他の構成物を介して配置される場合を表すものとする。
【００１９】
＜フレキシブル配線基板＞
まず、本実施形態のフレキシブル配線基板について、図１を参照して説明する。図１（ａ）はフレキシブル配線基板の構成を示す概略平面図、同図（ｂ）は概略断面図である。
図１（ａ）および（ｂ）に示すように、本実施形態のフレキシブル配線基板５０（以降、ＦＰＣ５０と称す）は、可撓性（フレキシビリティー）を有する絶縁性の基材１と、基材１上に間隔を置いて設けられ、基材１の長手方向に延在する複数の配線１０と、複数の配線１０を挟んで長手方向において部分的に基材１に積層されたカバーレイ２と、を有している。
【００２０】
基材１は、例えば、厚みが２０μｍ〜３０μｍのポリイミドフィルムであり、可撓性と絶縁性とに加えて、難燃性を有している。
【００２１】
複数の配線１０は、基材１に積層された圧延銅箔を所望の形状にパターニングされたものである。銅箔の厚みは例えばおよそ３５μｍである。そして、複数の配線１０は、長手方向の一方の端側にそれぞれ設けられた接続用ランド１１からなる第１接続用ランド群ＴＧ１と、長手方向の他方の端側にそれぞれ設けられた接続用ランド１２からなる第２接続用ランド群ＴＧ２と、長手方向において第１接続用ランド群ＴＧ１と第２接続用ランド群ＴＧ２との間に、それぞれ設けられた接続用ランド１３からなる第３接続用ランド群ＴＧ３と、を有している。
各接続用ランド群ＴＧ１，ＴＧ２，ＴＧ３には、銅箔よりも接触抵抗を小さくするために、表面にＮｉを下地とした金（Ａｕ）メッキ処理が施されている。例えば、下地のＮｉのメッキ厚は１μｍ、Ａｕのメッキ厚は０．１μｍである。
【００２２】
配線１０ごとに設けられた接続用ランド１１，１２，１３は、隣り合う配線１０間において長手方向にずらされて前後（千鳥状）に配置されている。これにより、接続用ランド１１，１２，１３を配線１０よりも幅広に設けたとしても、互いに短絡することがなく、後述するコネクターとの接続においても接触面積を確保して電気的に安定な接続を図ることができる構成となっている。
【００２３】
第１接続用ランド群ＴＧ１は、基材１の一方の端から長さＬ１の範囲内に設けられている。第２接続用ランド群ＴＧ２は、基材１の他方の端から長さＬ５の範囲内に設けられている。
一方で、第２接続用ランド群ＴＧ２よりも内側に設けられた第３接続用ランド群ＴＧ３は、基材１の一方の端から長さＬ１に長さＬ２を加えた位置から長さＬ３の範囲に設けられている。長さＬ１と長さＬ３および長さＬ５は同じである。
【００２４】
本実施形態の基材１における長手方向の第３接続用ランド群ＴＧ３の位置は、任意に設定することができる。つまり、第１接続用ランド群ＴＧ１と第３接続用ランド群ＴＧ３との間の長さＬ２や、基材１の他方の端から第３接続用ランド群ＴＧ３までの長さＬ４は任意に設定することができる。この場合、長さＬ２が最も長く設定されている。
【００２５】
また、基材１の一方の端から長手方向における長さＬ１および長さＬ２の位置と、基材１の他方の端から長さＬ４および長さＬ５の位置の短手方向の両端には、それぞれ半円状に基材１が切り欠かれた一対の切り欠き部Ｃ１，Ｃ２，Ｃ３，Ｃ４が設けられている。一対の切り欠き部Ｃ１，Ｃ２，Ｃ３，Ｃ４は、第１接続用ランド群ＴＧ１、第２接続用ランド群ＴＧ２、第３接続用ランド群ＴＧ３に対応して、それぞれを区分可能な一対の外形基準として設けられている。
【００２６】
カバーレイ２は、例えば基材１と同様なポリイミドフィルムを用いることができ、接着剤により基材１の第１接続用ランド群ＴＧ１と第３接続用ランド群ＴＧ３との間に貼り付けられている。カバーレイ２は、ＦＰＣ５０の繰り返しの屈曲などに対して、複数の配線１０が断裂することがないように、これを補強する目的で用いられている。また、第１〜第３接続用ランド群ＴＧ１，ＴＧ２，ＴＧ３以外に複数の配線１０が露出する部分を覆うことで、例えば配線１０がキズついたり、結露などにより配線１０間の絶縁性が失われないように、複数の配線１０を保護している。このような保護の役割を果たすためには、カバーレイ２のようなフィルム材料を用いること望ましいが、絶縁性の樹脂（レジスト）を塗布して保護してもよい。また、このような保護の役割を果たすカバーレイ２などを必ず設けなくてもよい。
【００２７】
また、本実施形態では、各接続用ランド１１，１２，１３の平面的な形状を略四角形としたが、これに限定されるものではない。例えば、千鳥状に配置された一方の接続用ランドの形状を他方の接続用ランドに比べて長手方向において長く形成してもよい。言い換えれば、後述するコネクターにおける接続部の形状に対応させた形状とすることが望ましい。
【００２８】
本実施形態のＦＰＣ５０によれば、第１接続用ランド群ＴＧ１を基準として、長手方向における第２接続用ランド群ＴＧ２または第３接続用ランド群ＴＧ３のいずれかを選択してコネクターと接続させることができる。つまり、１つのＦＰＣ５０により接続時の長さを変えた接続が可能である。例えば、第３接続用ランド群ＴＧ３を用いるときには、一対の切り欠き部Ｃ３を横断するように切断して、不要な第２接続用ランド群ＴＧ２を除去する。
言い換えれば、接続時の長さに応じて個々に設計されたＦＰＣを用意する必要がなく、１つのＦＰＣ５０を用いて種々の接続時の長さを実現できる。それゆえに、部品として共有化することで、在庫管理の手間や、かかるコストの低減を図ることができる。
【００２９】
＜電気光学装置の駆動回路構造体＞
次に、本実施形態の電気光学装置の駆動構造体について、図２および図３を参照して説明する。図２は電気光学装置の駆動構造体の構成を示す概略斜視図である。
【００３０】
図２に示すように、本実施形態の電気光学装置の駆動構造体としてのオペレーションユニット（ＯＰＵ）１００は、電気光学装置の駆動回路１０２や、駆動回路に電源を供給する電源回路１０３などが搭載された第１基板１０１と、電気光学装置が接続される第２基板１１０と、第１基板１０１と第２基板１１０との電気的な接続を図るフレキシブル配線基板（ＦＰＣ）５０とを備えている。
【００３１】
第１基板１０１は、例えばガラスエポキシなどを基材とするリジットな回路基板である。第１基板１０１には、駆動回路１０２とＦＰＣ５０とを接続する第１コネクター１０４が設けられている。
【００３２】
第２基板１１０も、同じく例えばガラスエポキシなどを基材とするリジットな回路基板である。第２基板１１０には、ＦＰＣ５０と第２基板１１０とを接続する第２コネクター１１１と、電気光学装置と第２基板１１０とを接続する第３コネクター１１２とが設けられている。また、第２コネクター１１１と第３コネクター１１２とを電気的に接続する配線が設けられている。つまり、電気光学装置は、第１コネクター１０４、ＦＰＣ５０、第２コネクター１１１、第３コネクター１１２を介して駆動回路１０２と電気的に接続される。この場合、第１コネクター１０４と第２コネクター１１１の構造は基本的に同じだが、第３コネクター１１２は、電気光学装置側の中継基板の接続端子仕様に応じて適合するものが選択されて用いられる。
【００３３】
図３（ａ）は、コネクターにフレキシブル配線基板が接続された状態を示す概略平面図、同図（ｂ）はコネクターにフレキシブル配線基板が接続された状態を示す概略断面図である。
【００３４】
図３（ａ）および（ｂ）に示すように、第１コネクター１０４は、導体部１０６が設けられたベース部１０５と、樹脂製の押圧部１０９との間にＦＰＣ５０を挟んで、ＦＰＣ５０の例えば複数の接続用ランド１１からなる第１接続用ランド群ＴＧ１と導体部１０６とを電気的に接続させるものである。
【００３５】
ベース部１０５に設けられた導体部１０６は、ＦＰＣ５０の接続用ランド１１に対応して千鳥状にかつ平面的に複数配置されており、ベース部１０５を貫通して反対側に露出した部分を有している。これにより、第１基板１０１の表面に例えばベース部１０５をハンダ付けによって平面実装することができる構造となっている。
【００３６】
また、ベース部１０５には、ＦＰＣ５０を位置決めするための位置決め基準としての一対の位置決めピン１０７と、ＦＰＣ５０の端部が当接する位置に配置された一対の止当りピン１０８とが、所定の長さでベース部１０５の表面から突出するように設けられている。
【００３７】
一対の位置決めピン１０７は、ＦＰＣ５０の切り欠き部Ｃ１に嵌合する突起部としてベース部１０５に配置されている。
【００３８】
押圧部１０９は、一対の位置決めピン１０７や一対の止当りピン１０８に対応する位置に孔１０９ａと孔１０９ｂとを有すると共に、ＦＰＣ５０を基材側から押圧するための凸部１０９ｃとを有している。
【００３９】
一対の位置決めピン１０７や一対の止当りピン１０８の先端側には、それぞれピンの外周に沿って膨らんだ凸部１０７ａ，１０８ａが設けられている。当該凸部１０７ａ，１０８ａに対応して、押圧部１０９の各孔１０９ａ，１０９ｂにも凹部１０９ｄが設けられている。
【００４０】
ＦＰＣ５０の端部をベース部１０５の止当りピン１０８に当接させた状態で、ＦＰＣ５０の切り欠き部Ｃ１と位置決めピン１０７とを嵌合させることによって、第１接続用ランド群ＴＧ１と導体部１０６とを対向させて正確に位置決めできる。また、押圧部１０９をベース部１０５に設けられた位置決めピン１０７および止当りピン１０８に嵌合させて押し込むことにとより、凸部１０９ｃがＦＰＣ５０を基材側から押圧して、第１接続用ランド群ＴＧ１と導体部１０６とを十分に接触させた状態で押圧部１０９をベース部１０５に対して固定することができる構造となっている。
【００４１】
なお、第２基板１１０に設けられた第２コネクター１１１も第１コネクター１０４と同様な構造を有しており、ＦＰＣ５０の第２接続用ランド群ＴＧ２や第３接続用ランド群ＴＧ３との接続が可能となっている。
【００４２】
本実施形態のＯＰＵ１００によれば、ＦＰＣ５０を用いているので、第１基板１０１と第２基板１１０とにおいて接続時の長さを少なくとも２段階に変えて電気的に接続させることができる。結果的に、電気光学装置と駆動回路１０２との電気的な接続を長さを変えて実現することが可能となる。
【００４３】
では、より具体的な電気光学装置の例を挙げて、電気光学装置の動作環境について説明する。図４（ａ）は電気光学装置の一例としての液晶ライトバルブの構成を示す概略平面図、同図（ｂ）は電気光学装置の他の一例としてのエレクトロビューファインダーの構成を示す概略平面図である。図５は液晶ライトバルブを用いた投射型表示装置の動作環境を示す概略図、図６はエレクトロビューファインダーの動作環境を示す概略図である。
【００４４】
図４（ａ）に示すように、電気光学装置としての液晶ライトバルブ２００は、透過型の液晶パネル２１０と、四隅に固定用の孔２０２を有し、液晶パネル２１０が保持される金属製の第１フレーム２０１と、第１フレーム２０１に液晶パネル２１０を挟んで嵌合する同じく金属製の第２フレーム２０３と、を有している。液晶パネル２１０には、中継基板としてのフレキシブル配線基板（ＦＰＣ）２０４が接続されている。ＦＰＣ２０４には、外部の駆動回路１０２との接続を図る複数の接続端子２０７が配列した端子部２０６が設けられている。また、外部の駆動回路１０２からの制御信号を受けて液晶パネル２１０に駆動信号を送出するドライバーＩＣ２０５が実装されている。
【００４５】
液晶パネル２１０は、略正方形の画素２１１がマトリックス状に配置された表示領域を有している。第１フレーム２０１と第２フレーム２０３とにはそれぞれ液晶パネル２１０の表示領域に対応して開口した開口部を有している。
【００４６】
図４（ｂ）に示すように、電気光学装置としてのエレクトロビューファインダー（ＥＶＦ）３００は、透過型の液晶パネル３１０と、ＬＥＤを光源とするバックライト（図示省略）と、これらを収納するプラスチックフレーム３０１と、を有している。液晶パネル３１０には、中継基板としてのフレキシブル配線基板（ＦＰＣ）３０４が接続されている。ＦＰＣ３０４には、外部の駆動回路１０２との接続を図る複数の接続端子３０６が配列した端子部３０５が設けられている。
【００４７】
液晶パネル３１０は、赤（Ｒ），緑（Ｇ），青（Ｂ）の色光が得られる矩形状のサブ画素３１１（Ｒ，Ｇ，Ｂ）がマトリックス状に配置された表示領域を有している。プラスチックフレーム３０１の一方の面には、上記表示領域に対向して開口した開口部を有している。
【００４８】
次に、液晶ライトバルブ２００を用いた投射型表示装置の動作環境について説明する。
図５に示すように、投射型表示装置５００は、例えば光源（図示省略）と、光源から発した光を赤（Ｒ）、緑（Ｇ）、青（Ｂ）の各色光に分離する例えばダイクロイックミラーなどの光学系と、各色光に対応して設けられた液晶ライトバルブ２００Ｒ，２００Ｇ，２００Ｂと、ダイクロイックプリズム５０１と、投射レンズ５０２とを少なくとも有して構成されている。
【００４９】
赤の液晶ライトバルブ２００Ｒと、青の液晶ライトバルブ２００Ｂとは、ダイクロイックプリズム５０１において対向する光の入射面に対して、表示面が平行となるように隙間をおいて配置されている。緑の液晶ライトバルブ２００Ｇは、上記光の入射面と隣り合って交差する光の入射面に対して、表示面が平行となるように同じく隙間を置いて配置されている。
【００５０】
液晶ライトバルブ２００Ｒ，２００Ｇ，２００Ｂの各ＦＰＣ２０４は、それぞれに対応して用意されたＯＰＵ１００の第２基板１１０に設けられた第３コネクター１１２と接続されている。もちろん、第２基板１１０の第２コネクター１１１にはＦＰＣ５０が接続されており、駆動回路１０２との電気的な接続が図られている。
【００５１】
投射型表示装置５００は、画像情報に基づいて液晶ライトバルブ２００Ｒ，２００Ｇ，２００Ｂに入射した色光の透過状態をそれぞれ制御し、色光ごとの表示光としてダイクロイックプリズム５０１に入射させる。色光ごとの表示光は、ダイクロイックプリズム５０１によって合成され、投射レンズ５０２に向けて射出されると共に、投射レンズ５０２によってスクリーン５０５に拡大投射されてフルカラーの表示を行うことができる。
【００５２】
このような投射型表示装置５００によれば、ダイクロイックプリズム５０１とＯＰＵ１００との相対的な位置関係によって、ＯＰＵ１００と各液晶ライトバルブ２００Ｒ，２００Ｇ，２００Ｂとの接続時の距離を適宜調整することが可能となる。例えば、ダイクロイックプリズム５０１に対向配置された２つの液晶ライトバルブ２００Ｒ，２００ＢとＯＰＵ１００とを接続させるＦＰＣ５０の長さと、液晶ライトバルブ２００ＧとＯＰＵ１００とを接続させるＦＰＣ５０の長さとを異ならせることができる。
【００５３】
このようなＯＰＵ１００におけるＦＰＣ５０の構成は、投射型表示装置５００の各構成を限られたスペースの筐体内に効率的に配置することを実現できる。また、投射型表示装置５００が完成された実機ではなく、試作機の段階である場合に各構成との位置関係によってＦＰＣ５０の長さを適宜調整でき、最終的な完成品に反映できる。さらには、投射型表示装置５００を液晶ライトバルブ２００Ｒ，２００Ｇ，２００Ｂの駆動状態を検査する検査装置として用いる場合にも有効である。例えば、液晶ライトバルブの機種により、中継基板の長さが一定でなくても、ＦＰＣ５０の長さを調整して、ダイクロイックプリズム５０１に対して適正な位置に検査対象の液晶ライトバルブを配置することが可能となる。
【００５４】
次に、ＥＶＦ３００の動作環境について説明する。ＥＶＦ３００は、ビデオカメラやデジタルカメラなどに用いられ、撮像された動画や静止画をフルカラー表示させ、観察者によって直視されるものである。近年は撮像素子の進化に伴い記録容量が増加しているため、それに見合ったＥＶＦ３００の表示機能が求められ、液晶パネル３１０におけるサブ画素３１１が高精細になっている。本実施形態のＥＶＦ３００の動作環境の一例は、このような高精細なサブ画素３１１を有するＥＶＦ３００の検査環境に関するものである。
【００５５】
図６に示すように、ＥＶＦ３００の中継基板であるＦＰＣ３０４はＯＰＵ１００の第２基板１１０に設けられた第３コネクター１１２に接続される。もちろん、第２基板１１０の第２コネクター１１１にはＦＰＣ５０が接続され、駆動回路１０２と電気的に接続されている。駆動されたＥＶＦ３００の表示面を臨む位置に、液晶パネル３１０を拡大して観察可能な例えば顕微鏡やカメラなどの光学系６００が配置される。
【００５６】
例えば、光学系６００とＯＰＵ１００との相対的な位置が検査者の作業に適するように固定され、ＥＶＦ３００のＦＰＣ３０４の長さが、機種によって異なっていたとしても、第２基板１１０に接続されるＦＰＣ５０の長さを適宜調整することによって、光学系６００に対して適正な位置にＥＶＦ３００を配置することができる。
【００５７】
上記のように、ＯＰＵ１００において接続時の長さを調整可能なＦＰＣ５０を有していることは、ＯＰＵ１００によって駆動可能な電気光学装置の種類を増やし、より共通化が高められる。
【００５８】
なお、電気光学装置に設けられる中継基板（ＦＰＣ）は、機種によってその仕様が異なるので、第２基板１１０における第３コネクター１１２には機種に対応したものが必要となる。言い換えれば、機種に対応した第２基板１１０を用意する必要がある。
【００５９】
また、本実施形態では、電気光学装置とＦＰＣ５０とを電気的に接続させるために、第２基板１１０を用いたが、これに限定されず、電気光学装置側の中継基板とＦＰＣ５０とを電気的に繋ぐ手段として、例えば中継コネクターなどを用いてもよい。
【００６０】
上記実施形態以外にも様々な変形例が考えられる。以下、変形例を挙げて説明する。
【００６１】
（変形例１）上記実施形態のＦＰＣ５０における一対の外形基準の構成は、これに限定されない。図７は変形例１のＦＰＣの構成を示す概略平面図である。例えば、図７に示すように、ＦＰＣ６０は、上記実施形態のＦＰＣ５０に対して異なる形状の外形基準を有するものである。具体的には、基材１の一方の端から長手方向における長さＬ１および長さＬ２の位置と、基材１の他方の端から長さＬ４および長さＬ５の位置の短手方向の両端には、それぞれ円形に基材１が切り抜かれた一対の孔Ｈ１，Ｈ２，Ｈ３，Ｈ４が設けられている。
これら一対の孔Ｈ１，Ｈ２，Ｈ３，Ｈ４の短手方向における間隔は、どれも同じである。
また、第１接続用ランド群ＴＧ１、第２接続用ランド群ＴＧ２、第３接続用ランド群ＴＧ３に対応して、それぞれを区分可能な一対の外形基準は、基材１の切り欠き部や孔に限らず、コネクターとの位置決めが目視で可能ならば、基材１上に印刷されたアライメントマークや、短手方向の両端側に位置する接続用ランドの形状を他の接続用ランドと異なる形状として、その特徴部分をアライメントマークとして利用してもよい。
さらには、接続用ランドごとにコンタクトホールを設けて、コンタクトホールに嵌合する導電性の突起部を備えたコネクターと接続させるようにしてもよい。これによれば、アライメントと電気的な接続とを両立させることができる。
加えて、一対の外形基準である上記切り欠き部や変形例の切り欠き孔は、すべての接続用ランド群に対応して設けることに限定されない。例えば、第３接続用ランド群ＴＧ３を利用するときに、不要な第２接続用ランド群ＴＧ２を精度よく切断して削除できればよいので、第３接続用ランド群ＴＧ３に対応して、少なくとも切り欠き部Ｃ３または切り欠き孔Ｈ３を設ける構成としてもよい。
【００６２】
（変形例２）上記実施形態のＦＰＣ５０における接続用ランド群の構成は、これに限定されない。図８は変形例２のＦＰＣの構成を示す概略平面図である。例えば、図８に示すように、ＦＰＣ７０は、上記実施形態のＦＰＣ５０に対して、接続用ランド群の数と配置とを異ならせたものである。具体的には、基材１の長手方向の一方の端に第１接続用ランド群ＴＧ１と、これに並列して配置された複数の接続用ランド１５からなる第５接続用ランド群ＴＧ５および複数の接続用ランド１６からなる第６接続用ランド群ＴＧ６とが設けられている。基材１の長手方向の他方の端に第２接続用ランド群ＴＧ２と、これに並列して配置された複数の接続用ランド１３からなる第３接続用ランド群ＴＧ３および複数の接続用ランド１４からなる第４接続用ランド群ＴＧ４とが設けられている。すなわち、合計６つの接続用ランド群が基材１の長手方向において対象に配置されている。これによれば、ＦＰＣ７０の長手方向の両端において接続時の長さを調整することができる。
【００６３】
（変形例３）上記実施形態のＦＰＣ５０の構成は、これに限定されない。例えば、第１コネクター１０４や第２コネクター１１１に接続される、第１接続用ランド群ＴＧ１、第２接続用ランド群ＴＧ２、第３接続用ランド群ＴＧ３に対応する基材１の背面側に基材１よりも厚みが厚い補強部材を設けてもよい。これにより、コネクターへの脱着の繰り返しに対して、接続部の機械的な強度を向上させることができる。
また、基材１の形状は、図１に示すように細長い矩形状に限定されず。例えば、図１の長さＬ２の範囲において、平面的に屈曲した形状としてもよい。当該屈曲部分における配線１０も基材１の形状に対応して屈曲した部分を有する。これによれば、基材１の長手方向の両端側において接続されるコネクターの位置が長手方向と交差する方向にずれていたとしても基材１に曲げなどのストレスを与えることなく、接続が可能となる。
【符号の説明】
【００６４】
１…基材、２…カバーレイ、１０…配線、１１，１２，１３，１４，１５，１６…接続用ランド、５０，６０，７０…フレキシブル配線基板（ＦＰＣ）、１００…電気光学装置の駆動構造体としてのオペレーションユニット（ＯＰＵ）、１０１…第１基板、１０２…駆動回路、１０４…第１コネクター、１１０…第２基板、１１１…第２コネクター、１１２…第３コネクター、２００…電気光学装置としての液晶ライトバルブ、３００…電気光学装置としてのエレクトロビューファインダー（ＥＶＦ）、５００…投射型表示装置、Ｃ１，Ｃ２，Ｃ３，Ｃ４…切り欠き部、ＴＧ１…第１接続用ランド群、ＴＧ２…第２接続用ランド群、ＴＧ３…第３接続用ランド群。
【図１】
2012182409.tif 000003
【図２】
2012182409.tif 000004
【図３】
2012182409.tif 000005
【図４】
2012182409.tif 000006
【図５】
2012182409.tif 000007
【図６】
2012182409.tif 000008
【図７】
2012182409.tif 000009
【図８】
2012182409.tif 000010